(57)【特許請求の範囲】
【請求項１】
複数のアクセスネットワークにそれぞれ接続される複数のＷＡＮ(Wide Area Network)側インタフェースと、無線端末が接続されるローカルネットワークに接続されるＬＡＮ(Local Area Network)側インタフェースとを有し、スリープ状態の設定が可能な無線ルータであって、
前記複数のアクセスネットワークのうちの１つを指示するＷＡＮ選択情報を含むウェイクアップ信号を、前記ＬＡＮ側インタフェースの機能を用いることなく受信可能なウェイクアップ信号受信部と、
前記ウェイクアップ信号受信部によって受信された信号がウェイクアップ信号であるか否かを判定するウェイクアップ判定部と、
ウェイクアップ判定部が真の判定を行った際、受信されたウェイクアップ信号から当該ＷＡＮ選択情報を抽出し、当該ＷＡＮ選択情報の指示に応じて、停止状態にある前記複数のＷＡＮ側インタフェースのうちの１つを起動させるＷＡＮ起動手段と
を有することを特徴とする無線ルータ。
【請求項２】
前記ＷＡＮ起動手段は、
前記複数のＷＡＮ側インタフェースにそれぞれ割り当てられた互いに異なるフレーム長の組を記憶しており、
受信された信号がウェイクアップ信号であるとの判定がなされた後、ＷＡＮ選択情報として前記互いに異なるフレーム長のうちの１つをフレーム長とする信号を受信した際、該互いに異なるフレーム長のうちの１つが割り当てられたＷＡＮ側インタフェースを起動させる
ことを特徴とする請求項１に記載の無線ルータ。
【請求項３】
当該ウェイクアップ信号は、選択すべきアクセスネットワークを指示するＷＡＮ選択情報としてのＷＡＮ識別子を含み、
前記ＷＡＮ起動手段は、当該ウェイクアップ信号から当該ＷＡＮ識別子を抽出し、当該ＷＡＮ識別子の指示に応じて、停止状態にある前記複数のＷＡＮ側インタフェースのうちの１つを起動させる
ことを特徴とする請求項１に記載の無線ルータ。
【請求項４】
前記ウェイクアップ判定部は、
所定のｎ個（ｎ≧２）のフレーム長の順列を記憶しており、当該順列における１つのフレーム長の信号を受信した際、当該順列におけるその次にあるフレーム長の信号の受信を待つ処理を、当該順列の最初のフレーム長から実施し、当該順列における最後のフレーム長の信号を待った上で該最後のフレーム長の信号を受信した場合に、受信された信号がウェイクアップ信号であると判定する
ことを特徴とする請求項１から３のいずれか１項に記載の無線ルータ。
【請求項５】
当該ウェイクアップ信号に含まれるＷＡＮ選択情報は、
前記複数のアクセスネットワークが接続したインターネットに設けられたサーバによって生成された推奨ＷＡＮ情報であって、前記複数のアクセスネットワークのうちの少なくとも１つを推奨する推奨ＷＡＮ情報に基づいて、当該無線端末によって生成された情報である
ことを特徴とする請求項１から４のいずれか１項に記載の無線ルータ。
【請求項６】
複数のアクセスネットワークと、ローカルネットワークと、該ローカルネットワークに接続される無線端末と、該複数のアクセスネットワークにそれぞれ接続される複数のＷＡＮ側インタフェース及び該ローカルネットワークに接続されるＬＡＮ側インタフェースを有する無線ルータとを備えたシステムにおけるＷＡＮ通信起動方法であって、
前記無線ルータは、前記複数のアクセスネットワークのうちの１つを指示するＷＡＮ選択情報を含むウェイクアップ信号を、前記ＬＡＮ側インタフェースの機能を用いることなく受信可能なウェイクアップ信号受信部を更に有し、
前記ＷＡＮ通信起動方法は、
当該無線端末が、当該ウェイクアップ信号を、前記無線ルータに送信する第１のステップと、
前記無線ルータが、前記ウェイクアップ信号受信部によって受信された信号がウェイクアップ信号であるか否かを判定する第２のステップと、
前記無線ルータが、第２のステップで真の判定を行った際、受信されたウェイクアップ信号から、当該ＷＡＮ選択情報を抽出し、当該ＷＡＮ選択情報の指示に応じて、停止状態にある前記複数のＷＡＮ側インタフェースのうちの１つを起動させ、選択されたアクセスネットワークを介した通信を確立する第３のステップと
を有することを特徴とするＷＡＮ通信起動方法。
【請求項７】
前記無線ルータは、前記複数のＷＡＮ側インタフェースにそれぞれ割り当てられた互いに異なるフレーム長の組を記憶しており、
前記第３のステップにおいて、ＷＡＮ選択情報として前記互いに異なるフレーム長のうちの１つをフレーム長とする信号を受信した際、該互いに異なるフレーム長のうちの１つが割り当てられたＷＡＮ側インタフェースを起動させる
ことを特徴とする請求項６に記載のＷＡＮ通信起動方法。
【請求項８】
当該ウェイクアップ信号は、選択すべきアクセスネットワークを指示するＷＡＮ選択情報としてのＷＡＮ識別子を含み、
前記第３のステップにおいて、当該ウェイクアップ信号から当該ＷＡＮ選択情報を抽出し、当該ＷＡＮ識別子の指示に応じて、停止状態にある前記複数のＷＡＮ側インタフェースのうちの１つを起動させる
ことを特徴とする請求項６に記載のＷＡＮ通信起動方法。
【請求項９】
前記無線ルータは、所定のｎ個（ｎ≧２）のフレーム長の順列を記憶しており、
前記第２のステップにおいて、当該順列における１つのフレーム長の信号を受信した際、当該順列におけるその次にあるフレーム長の信号の受信を待つ処理を、当該順列の最初のフレーム長から実施し、当該順列における最後のフレーム長の信号を待った上で該最後のフレーム長の信号を受信した場合に、受信された信号がウェイクアップ信号であると判定する
ことを特徴とする請求項６から８のいずれか１項に記載のＷＡＮ通信起動方法。
【請求項１０】
複数のアクセスネットワークにそれぞれ接続される複数のＷＡＮ側インタフェースと、無線端末が接続されるローカルネットワークに接続されるＬＡＮ側インタフェースとを有し、スリープ状態の設定が可能な無線ルータに搭載されたコンピュータを機能させるプログラムにおいて、前記無線ルータが、
前記複数のアクセスネットワークのうちの１つを指示するＷＡＮ選択情報を含むウェイクアップ信号を、前記ＬＡＮ側インタフェースの機能を用いることなく受信可能なウェイクアップ信号受信部と、
前記ウェイクアップ信号受信部によって受信された信号がウェイクアップ信号であるか否かを判定するウェイクアップ判定部と
を有しており、前記プログラムが、
ウェイクアップ判定部が真の判定を行った際、受信されたウェイクアップ信号から当該ＷＡＮ選択情報を抽出し、当該ＷＡＮ選択情報の指示に応じて、停止状態にある前記複数のＷＡＮ側インタフェースのうちの１つを起動させるＷＡＮ起動手段と
してコンピュータを機能させることを特徴とする無線ルータ用のプログラム。
【発明の詳細な説明】
【技術分野】
【０００１】
本発明は、通信機器のウェイクアップ機能に係る技術に関する。
【背景技術】
【０００２】
近年、モバイル機器を用い、無線ＬＡＮ（Local Area Network）等の無線通信を利用することによって、生活の様々な場面で、種々の情報・サービスが享受可能である。このモバイル機器は、いつ何時でも情報・サービスをユーザに提供し得るように、常時、受信待機状態をとる。ここで、受信待機電力は現状相当に大きく、モバイル機器の電池持続時間を押し下げる原因となっている。
【０００３】
この問題に対処する省電力化技術として、例えば、無線ＬＡＮのアクセスポイント（ＡＰ）を未使用時にスリープ状態とし、使用する際には、ウェイクアップ信号をＡＰに送信してこのＡＰを起動させる技術が存在する（例えば、非特許文献１）。非特許文献１では、特定のフレーム長の無線ＬＡＮ信号をウェイクアップ信号として送信することにより、この特定のフレーム長の信号を自身宛と認識するＡＰのみを起動させる。
【０００４】
また、ウェイクアップ信号を検知する専用モジュールを受信側無線通信デバイスに設け、受信待機電力を低減する技術も存在する（例えば、非特許文献２）。非特許文献２では、低消費電力型の専用モジュールによって受信待機を行い、受信待機に必要のない回路の電源を切って受信待機電力を抑制する。
【０００５】
さらに、特許文献１には、ウェイクアップ電波検知部を備え、無線ＡＰからのウェイクアップ電波を受信することによって自らのスリープ状態を解除する無線ＬＡＮ端末が開示されている。
【先行技術文献】
【特許文献】
【０００６】
【特許文献１】特開２０１１−４０９８８号公報
【非特許文献】
【０００７】
【非特許文献１】近藤良久、四方博之、湯素華、岩井優仁、田中利康、筒井英夫、小花貞夫、「無線ＬＡＮ信号を用いたオンデマンドウェイクアップ方式」、電子情報通信学会技術研究報告、Vol.110、No.448、NS2010-185、123-128ページ、2011年
【非特許文献２】石田繁巳、瀧口貴啓、猿渡俊介、南正輝、森川博之、「ブルームフィルタを用いたウェイクアップ型通信システム」、電子情報通信学会論文誌Ｂ、Vol.J94-B、No.10、1397-1407ページ、2011年
【発明の概要】
【発明が解決しようとする課題】
【０００８】
しかしながら、上述したような従来技術は全て、無線ＡＰや無線端末を対象としたウェイクアップ技術である。即ち、例えば、複数のアクセスネットワークと接続するための複数のＷＡＮ(Wide Area Network)側無線インタフェースを備えたモバイルルータへの適用は想定されていない。
【０００９】
ここで、アクセスネットワークは、通信事業者ネットワークであり、ゲートウェイを介して、インターネットに相互接続される。モバイルルータが接続可能なアクセスネットワークとして、例えば、無線ＬＡＮ、ＷｉＭＡＸ(Worldwide Interoperability for Microwave Access)、３Ｇ(3rd Generation)、及びＬＴＥ(Long Term Evolution)が挙げられる。
【００１０】
このようなモバイルルータをスリープ状態からウェイクアップさせ、通信を確立する場合、最初に、ウェイクアップ信号受信時に、ＷＡＮ側無線インタフェースを全て起動させる。次いで、各アクセスネットワークをモニタした上で、最適なＷＡＮ側無線インタフェースを選択することになる。
【００１１】
従って、このモニタ・選択動作を実行するために、各ＷＡＮ側無線インタフェースの回路に通電する電源部を全て立ち上げねばならない。その結果、相当の電力が消費されてしまう。さらに、起動させてから、最適なＷＡＮ側無線インタフェースを選択するまでに、相当の時間を必要としてしまう。
【００１２】
そこで、本発明は、ウェイクアップ時の消費電力を抑制し、通信確立のための所要時間を短縮可能な無線ルータ、ＷＡＮ通信起動方法及びプログラムを提供することを目的とする。
【課題を解決するための手段】
【００１３】
本発明によれば、複数のアクセスネットワークにそれぞれ接続される複数のＷＡＮ側インタフェースと、無線端末が接続されるローカルネットワークに接続されるＬＡＮ側インタフェースとを有し、スリープ状態の設定が可能な無線ルータであって、
複数のアクセスネットワークのうちの１つを指示するＷＡＮ選択情報を含むウェイクアップ信号を、ＬＡＮ側インタフェースの機能を用いることなく受信可能なウェイクアップ信号受信部と、
ウェイクアップ信号受信部によって受信された信号がウェイクアップ信号であるか否かを判定するウェイクアップ判定部と、
ウェイクアップ判定部が真の判定を行った際、受信されたウェイクアップ信号からＷＡＮ選択情報を抽出し、このＷＡＮ選択情報の指示に応じて、停止状態にある複数のＷＡＮ側インタフェースのうちの１つを起動させるＷＡＮ起動手段と
を有する無線ルータが提供される。
【００１４】
この本発明による無線ルータにおいて、ＷＡＮ起動手段は、
複数のＷＡＮ側インタフェースにそれぞれ割り当てられた互いに異なるフレーム長の組を記憶しており、
受信された信号がウェイクアップ信号であるとの判定がなされた後、ＷＡＮ選択情報として上記互いに異なるフレーム長のうちの１つをフレーム長とする信号を受信した際、これら互いに異なるフレーム長のうちの１つが割り当てられたＷＡＮ側インタフェースを起動させることも好ましい。
【００１５】
また、本発明による無線ルータにおいて、ウェイクアップ信号は、選択すべきアクセスネットワークを指示するＷＡＮ選択情報としてのＷＡＮ識別子を含み、
ＷＡＮ起動手段は、ウェイクアップ信号からＷＡＮ識別子を抽出し、このＷＡＮ識別子の指示に応じて、停止状態にある複数のＷＡＮ側インタフェースのうちの１つを起動させることも好ましい。
【００１６】
さらに、本発明による無線ルータの一実施形態として、ウェイクアップ判定部は、
所定のｎ個（ｎ≧２）のフレーム長の順列を記憶しており、この順列における１つのフレーム長の信号を受信した際、この順列におけるその次にあるフレーム長の信号の受信を待つ処理を、この順列の最初のフレーム長から実施し、この順列における最後のフレーム長の信号を待った上でこの最後のフレーム長の信号を受信した場合に、受信された信号がウェイクアップ信号であると判定する
ことも好ましい。
【００１７】
また、本発明による無線ルータの一実施形態として、ウェイクアップ信号に含まれるＷＡＮ選択情報は、
複数のアクセスネットワークが接続したインターネットに設けられたサーバによって生成された推奨ＷＡＮ情報であって、複数のアクセスネットワークのうちの少なくとも１つを推奨する推奨ＷＡＮ情報に基づいて、この無線端末によって生成された情報であることも好ましい。
【００１８】
本発明によれば、また、複数のアクセスネットワークと、ローカルネットワークと、このローカルネットワークに接続される無線端末と、複数のアクセスネットワークにそれぞれ接続される複数のＷＡＮ側インタフェース及びローカルネットワークに接続されるＬＡＮ側インタフェースを有する無線ルータとを備えたシステムにおけるＷＡＮ通信起動方法であって、
無線ルータは、複数のアクセスネットワークのうちの１つを指示するＷＡＮ選択情報を含むウェイクアップ信号を、ＬＡＮ側インタフェースの機能を用いることなく受信可能なウェイクアップ信号受信部を更に有し、
本ＷＡＮ通信起動方法は、
無線端末が、当該ウェイクアップ信号を無線ルータに送信する第１のステップと、
前記無線ルータが、ウェイクアップ信号受信部によって受信された信号がウェイクアップ信号であるか否かを判定する第２のステップと、
無線ルータが、第２のステップで真の判定を行った際、受信されたウェイクアップ信号から、ＷＡＮ選択情報を抽出し、このＷＡＮ選択情報の指示に応じて、停止状態にある複数のＷＡＮ側インタフェースのうちの１つを起動させ、選択されたアクセスネットワークを介した通信を確立する第３のステップと
を有するＷＡＮ通信起動方法が提供される。
【００１９】
この本発明のＷＡＮ通信起動方法において、無線ルータは、複数のＷＡＮ側インタフェースにそれぞれ割り当てられた互いに異なるフレーム長の組を記憶しており、
第３のステップにおいて、ＷＡＮ選択情報として上記互いに異なるフレーム長のうちの１つをフレーム長とする信号を受信した際、これら互いに異なるフレーム長のうちの１つが割り当てられたＷＡＮ側インタフェースを起動させることも好ましい。
【００２０】
また、本発明のＷＡＮ通信起動方法において、ウェイクアップ信号は、選択すべきアクセスネットワークを指示するＷＡＮ選択情報としてのＷＡＮ識別子を含み、
第３のステップにおいて、ウェイクアップ信号からＷＡＮ選択情報を抽出し、このＷＡＮ識別子の指示に応じて、停止状態にある複数のＷＡＮ側インタフェースのうちの１つを起動させることも好ましい。
【００２１】
さらに、本発明のＷＡＮ通信起動方法の一実施形態として、無線ルータは、所定のｎ個（ｎ≧２）のフレーム長の順列を記憶しており、第２のステップにおいて、この順列における１つのフレーム長の信号を受信した際、この順列におけるその次にあるフレーム長の信号の受信を待つ処理を、この順列の最初のフレーム長から実施し、この順列における最後のフレーム長の信号を待った上でこの最後のフレーム長の信号を受信した場合に、受信された信号がウェイクアップ信号であると判定することも好ましい。
【００２２】
本発明によれば、さらにまた、複数のアクセスネットワークにそれぞれ接続される複数のＷＡＮ側インタフェースと、無線端末が接続されるローカルネットワークに接続されるＬＡＮ側インタフェースとを有し、スリープ状態の設定が可能な無線ルータに搭載されたコンピュータを機能させるプログラムにおいて、
複数のアクセスネットワークのうちの１つを指示するＷＡＮ選択情報を含むウェイクアップ信号を、ＬＡＮ側インタフェースの機能を用いることなく受信可能なウェイクアップ信号受信部と、
ウェイクアップ信号受信部によって受信された信号がウェイクアップ信号であるか否かを判定するウェイクアップ判定部と、
ウェイクアップ判定部が真の判定を行った際、受信されたウェイクアップ信号からＷＡＮ選択情報を抽出し、このＷＡＮ選択情報の指示に応じて、停止状態にある複数のＷＡＮ側インタフェースのうちの１つを起動させるＷＡＮ起動手段と
してコンピュータを機能させる無線ルータ用のプログラムが提供される。
【００２３】
本発明の無線ルータ、ＷＡＮ通信起動方法及びプログラムによれば、無線ルータにおけるウェイクアップ時の消費電力を抑制し、通信確立のための所要時間を短縮できる。
【図面の簡単な説明】
【００２４】
【図１】本発明によるモバイルルータを備えたＷＡＮ通信起動システムのシステム構成図である。
【図２】本発明によるＷＡＮ通信起動方法のシーケンス図である。
【図３】無線端末が自身の位置情報に基づいた推奨ＷＡＮ情報を取得する手順（図２のステップＳ２０１〜Ｓ２０３）を示す、ＷＡＮ通信起動システムの一部の概略図である。
【図４】ウェイクアップの判定及び選択するＷＡＮの決定についての一実施形態を示す状態遷移図である。
【図５】ウェイクアップの判定及び選択するＷＡＮの決定についての他の実施形態を示す概略図である。
【図６】本発明によるモバイルルータの一実施形態における機能構成図である。
【発明を実施するための形態】
【００２５】
本発明による無線ルータは、複数のアクセスネットワークにそれぞれ接続される複数のＷＡＮ側インタフェースを有し、受信待機電力の抑制を図ったスリープ状態の設定が可能である。本無線ルータは、
（ａ）信号受信部で受信された信号が、このスリープ状態を解除するウェイクアップ信号か否かを判定し、
（ｂ）ウェイクアップ信号であると判定した際、受信されたウェイクアップ信号から、複数のアクセスネットワークのうちの１つを指示するＷＡＮ選択情報を抽出し、このＷＡＮ選択情報の指示に応じて、停止状態にある複数のＷＡＮ側インタフェースのうちの１つを起動させる点に特徴を有する。
【００２６】
ここで、ウェイクアップ信号は、ＷＡＮ選択情報としてのフレームを含む一連のフレームの組であることも好ましく、ＷＡＮ選択情報としてのＷＡＮ識別子を有するフレームを含むものであることも好ましい。
【００２７】
また、この無線ルータは、無線端末が接続された無線ローカルネットワークに接続されるＬＡＮ側インタフェースを有し、さらに、アクセスネットワークの基地局又はアクセスポイント（ＡＰ）とも無線で接続される。このため、以下に説明する実施形態では、本無線ルータを、通常このような接続環境に置かれて使用される「モバイルルータ」としている。但し、本無線ルータは、当然にモバイルルータに限定されるものではない。
【００２８】
以下、本発明の実施の形態について、図面を用いて詳細に説明する。
【００２９】
図１は、本発明によるモバイルルータを備えたＷＡＮ通信起動システムのシステム構成図である。
【００３０】
図１によれば、無線端末２は、無線ネットワーク３を介してモバイルルータ１に接続する。無線ネットワーク３は、Ｗｉ−Ｆｉ（Wireless Fidelity）のような無線ＬＡＮ又はBluetooth（登録商標）等の、ローカルネットワークである。モバイルルータ１は、自身との接続が確立した無線端末２をクライアントとして把握・管理する一方、複数のアクセスネットワーク４、５、６０及び６１の基地局又はＡＰと接続可能となっている。
【００３１】
複数のアクセスネットワーク４、５、６０及び６１は、無線の通信事業者ネットワークであり、ゲートウェイを介して、インターネット７に相互接続される。本実施形態では、
アクセスネットワーク４：  Ｗｉ−Ｆｉのような無線ＬＡＮ、
アクセスネットワーク５：  ＷｉＭＡＸ(Worldwide Interoperability for Microwave Access)、
アクセスネットワーク６０：  ＬＴＥ(Long Term Evolution)、及び
アクセスネットワーク６１：  ３Ｇ(3rd Generation)
である。当然に、アクセスネットワークの数及び種類はこれらに限定されるものではなく、例えば、アクセスネットワークの数は、アクセスネットワーク（３Ｇ）６１を除いた３つでもよい。
【００３２】
モバイルルータ１では、スリープ状態の設定が可能である。また、モバイルルータ１は、無線端末２から送信されるウェイクアップ信号を受信してこのスリープ状態を解除し、通信機能を起動させるウェイクアップ機能を備えている。
【００３３】
ここで、スリープ状態とは、少なくとも、複数の（図１では４つの）アクセスネットワーク４、５、６０及び６１にそれぞれ接続される複数の（図１では４つの）ＷＡＮ側インタフェースの電源、及び無線ネットワーク３と接続されるＬＡＮ側インタフェースを停止状態（インタフェース通信回路への通電を停止した状態）の電源を全てＯＦＦにし、受信待機電力を抑制して省電力化を実現する状態である。これにより、例えば電池持続時間を延長可能とする。
【００３４】
本発明のモバイルルータ１では、スリープ状態においてもウェイクアップ信号が受信可能であるウェイクアップ信号受信部１０５（図６）を備えている。スリープ状態にあるモバイルルータ１は、ウェイクアップ信号受信部１０５でウェイクアップ信号を受信した際、装置の電源をＯＮにし、さらに、ウェイクアップ信号から複数のアクセスネットワークのうちの何れを選択するかを指示したＷＡＮ選択情報を抽出する。
【００３５】
この抽出されたＷＡＮ選択情報が、例えばアクセスネットワーク（ＷｉＭＡＸ）５の選択を指示する場合、モバイルルータ１は、４つのＷＡＮ側インタフェースのうちでアクセスネットワーク５に接続されるＷＡＮ側インタフェースのみを起動させる。即ち、このＷＡＮ側インタフェースの通信回路のみに通電する。その結果、ＷＡＮ側では、選択されたアクセスネットワーク（ＷｉＭＡＸ）５を介した通信のみが確立する。
【００３６】
同じく図１に示すように、無線端末２は、モバイルルータ１との通信を確立する機能と共に、直接にアクセスネットワーク（３Ｇ）６１を介する通信を確立する機能も備えている。本実施形態では、無線端末２は、無線ＬＡＮ通信機能と共に、３Ｇ通信機能も備えている。これにより、無線端末２は、モバイルルータ１を介さずに、インターネット７に設けられたＷＡＮ管理サーバ８と通信することができる。
【００３７】
ＷＡＮ管理サーバ８は、良好な通信を実現する観点から各無線端末２にとって選択すべきアクセスネットワークを、当該無線端末２の位置情報を基にして決定する。ＷＡＮ管理サーバ８は、アクセスネットワーク４、５、６０及び６１のそれぞれを介した通信の状態、例えば通信速度又は輻輳状態をモニタし、定期的に最も効率の良い通信が可能なアクセスネットワーク（図１では、ＷｉＭＡＸ５）を決定する。尚、無線端末２の位置情報（緯度経度情報）は、後に図３を用いて説明するように、例えば、ＧＰＳ(Global Positioning System)測位方式を用いて決定され、無線端末２からＷＡＮ管理サーバ８に送信される。
【００３８】
ＷＡＮ管理サーバ８は、無線端末２の要求に応じて、決定したアクセスネットワーク（ＷｉＭＡＸ）５（の基地局）を推奨する旨の推奨ＷＡＮ情報を生成し、無線端末２に送信する。無線端末２は、受信したこの推奨ＷＡＮ情報に基づいて、複数のアクセスネットワークのうちアクセスネットワーク５を指示するＷＡＮ選択情報を生成し、このＷＡＮ選択情報を含むウェイクアップ信号を形成する。
【００３９】
尚、変更態様として、無線端末２は、直接的に、アクセスネットワークの１つ、例えばアクセスネットワーク（ＷｉＭＡＸ）５と接続すると共に、モバイルルータ１とも接続することによって、「キャリアアグリゲーション」方式を適用した通信を行う機能を備えていることも好ましい。
【００４０】
このキャリアアグリゲーション方式は、例えば、広域無線ネットワークとしてのＷｉＭＡＸ（アクセスネットワーク５）と、狭域無線ネットワークとしての無線ＬＡＮ（無線ネットワーク３）とを束ね合わせて通信を行い、複数の周波数帯域からより広い帯域幅を確保する技術である。この技術では、これら異なる無線ネットワークを経由した複数のデータを統合するパケットゲートウェイが設けられる。
【００４１】
ここで、ＷＡＮ管理サーバ８からの推奨ＷＡＮ情報がアクセスネットワーク（ＷｉＭＡＸ）５である場合を考える。無線端末２は、この推奨ＷＡＮ情報に従って、モバイルルータ１にアクセスネットワーク５との通信を確立させることは、キャリアアグリゲーションの利点を損なうことを認識する。即ち、この場合、無線端末２が直接接続されているアクセスネットワーク（ＷｉＭＡＸ）５の基地局に、モバイルルータ１もまた接続されてしまう。その結果、キャリアアグリゲーションの利点を享受できなくなる。
【００４２】
そこで、無線端末２は、アクセスネットワーク（ＷｉＭＡＸ）５を推奨する推奨ＷＡＮ情報を得たにも拘わらず、自らの判断で、例えば、アクセスネットワーク（ＬＴＥ）６０を指示したＷＡＮ選択情報を含むウェイクアップ信号を形成することも好ましい。これにより、キャリアアグリゲーションによるスループットの改善及び耐伝搬障害性の向上が奏功される。
【００４３】
図１の本実施形態に戻って、モバイルルータ１は、無線端末２から受信した信号がウェイクアップ信号であるか否かを判定する。ここで、真の判定を行った際、受信したウェイクアップ信号から、複数のアクセスネットワークのうちアクセスネットワーク（ＷｉＭＡＸ）５を選択する、との指示を含むＷＡＮ選択情報を抽出する。
【００４４】
モバイルルータ１は、抽出したこのＷＡＮ選択情報に応じて、停止状態にある４つのＷＡＮ側インタフェースのうち、アクセスネットワーク（ＷｉＭＡＸ）５に接続されるＷＡＮ側インタフェースを起動させ、アクセスネットワーク５との通信を確立する。また、受信したウェイクアップ信号に応じて、停止状態にあるＬＡＮ側インタフェースを起動させ、無線ネットワーク３を介した無線端末２との通信を確立する。
【００４５】
以上説明したように、本発明によれば、ウェイクアップ信号によってモバイルルータ１をスリープ状態から立ち上げる際、複数のＷＡＮ側インタフェースのうちで必要とされるインタフェースのみを起動させるので、ウェイクアップ時の消費電力が十分に抑制される。
【００４６】
さらに、ウェイクアップ信号に含まれるＷＡＮ選択情報に基づいて、起動するＷＡＮ側インタフェースを決定するので、ウェイクアップ信号受信時にＷＡＮ側インタフェースを全て起動させて各アクセスネットワークをモニタする必要がない。その結果、起動させてから、最適なＷＡＮ側インタフェースを選択し通信を確立するまでの所要時間が短縮される。
【００４７】
図２は、本発明によるＷＡＮ通信起動方法のシーケンス図である。
【００４８】
ここで、最初に、モバイルルータ１はスリープ状態にあり、アクセスネットワーク４、５、６０及び６１にそれぞれ接続される４つのＷＡＮ側インタフェースの電源、及び無線ネットワーク３に接続されるＬＡＮ側インタフェースの電源は、全てＯＦＦとなっている。また、モバイルルータ１は、後に説明する、電源として例えば電池を備えたウェイクアップ信号受信部１０５及びウェイクアップ判定部１０６（図６）を有しており、スリープ状態でも無線端末２からのウェイクアップ信号を受信することができる。
【００４９】
（Ｓ２００）無線端末２は、アクセスネットワーク（３Ｇ）６１の基地局との直接的な通信を確立する。これにより、無線端末２は、インターネット７内のサーバと通信可能となる。
【００５０】
（Ｓ２０１）無線端末２は、後に図３を用いて説明するＧＰＳ測位方式を用いて現在位置を測位し、自身の位置情報（緯度経度情報）を記憶する。
（Ｓ２０２）無線端末２は、ＷＡＮ管理サーバ８に自身の位置情報を送信し、何れのアクセスネットワークの使用を推奨するかの推奨ＷＡＮ情報を問い合わせる。
（Ｓ２０３）ＷＡＮ管理サーバ８は、無線端末２の位置情報を基にして推奨すべきアクセスネットワーク（図２ではアクセスネットワーク（ＷｉＭＡＸ）５）を決定し、この決定した推奨ＷＡＮ情報を無線端末２に応答する。
【００５１】
（Ｓ２０４）無線端末２は、受信した推奨ＷＡＮ情報に基づいて、何れのアクセスネットワークを選択するかのＷＡＮ選択情報（図２ではアクセスネットワーク５を選択する旨の情報）を生成し、この情報を含むウェイクアップ信号を、モバイルルータ１に送信する。
【００５２】
（Ｓ２０５〜Ｓ２０７）モバイルルータ１は、ウェイクアップ信号の受信部（ウェイクアップ信号受信部１０５（図６））で受信された信号がウェイクアップ信号であるか否かを判定する（Ｓ２０５）。ここで、ウェイクアップ信号であると判定した場合、モバイルルータ１は、ウェイクアップし（Ｓ２０６）、装置の電源をＯＮにして、無線ネットワーク３に接続されるＬＡＮ側インタフェースを起動させる（Ｓ２０７）。尚、このＬＡＮ側インタフェースの起動は、少なくとも、後に述べるビーコン報知の開始（Ｓ２１１）までに完了させればよい。一方、ウェイクアップ信号ではないと判定した場合、この信号は破棄され、モバイルルータ１はスリープ状態を継続する。
【００５３】
（Ｓ２０８）モバイルルータ１は、このウェイクアップ信号から、ＷＡＮ選択情報を抽出し、何れのアクセスネットワークが選択されるのかを判定し決定する。
（Ｓ２０９ａ〜２０９ｄ）モバイルルータ１は、ステップＳ２０７で選択すると決定されたアクセスネットワーク（図２ではアクセスネットワーク５）に接続されるＷＡＮ側インタフェースを起動させる。
【００５４】
（Ｓ２１０）モバイルルータ１は、選択されたアクセスネットワーク（ＷｉＭＡＸ）５の基地局に、接続を要求する。
（Ｓ２１１）モバイルルータ１は、無線端末２（及び他の無線端末）に対し、ビーコンの報知を開始する。
【００５５】
（Ｓ２１２）アクセスネットワーク５の基地局から、アクセスネットワーク５との接続を受け入れる旨がモバイルルータ１に応答される。
（Ｓ２１３）モバイルルータ１とアクセスネットワーク５との通信が確立する。
【００５６】
（Ｓ２１４）ビーコンの報知をモバイルルータ１から受信した無線端末２は、起動されたＬＡＮ側インタフェースを介して、モバイルルータ１に、無線ネットワーク３を介した接続を要求する。
（Ｓ２１５）モバイルルータ１は、無線ネットワーク３を介した接続を受け入れる旨を無線端末２に応答する。
（Ｓ２１６）モバイルルータ１と無線端末２との通信が確立する。
【００５７】
以上、モバイルルータ１において選択されたＷＡＮ側接続が起動し、所望のアクセスネットワークと無線端末２とのモバイルルータ１を介した接続が完了する。
【００５８】
図３は、無線端末２が自身の位置情報に基づいた推奨ＷＡＮ情報を取得する手順（図２のステップＳ２０１〜Ｓ２０３）を示す、ＷＡＮ通信起動システムの一部の概略図である。
【００５９】
図３によれば、最初に、無線端末２は、ＧＰＳ衛星９からの測位電波を受信することによって現在位置を測位し、自身の位置情報（緯度経度情報）：
（N：35.FF.GG，E：140.VV.WW）
をメモリ２０に記憶する（ステップＳ２０１）。次いで、無線端末２は、ＷＡＮ管理サーバ８に対して、何れのアクセスネットワークの使用を推奨するかの推奨ＷＡＮ情報を問い合わせ、この際、この位置情報をＷＡＮ管理サーバ８に送信する（Ｓ２０２）。
【００６０】
尚、無線端末２の現在位置の測位方法として、このＧＰＳ測位方式の代わりに、複数基地局測位方式を用いることも好ましい。複数基地局測位方式は、複数の周辺基地局から受信する電波によって、現在位置を測位する。
【００６１】
ここで、無線端末２は、推奨ＷＡＮ情報を問い合わせる際、自身の位置情報に代えて、又は当該位置情報と共に、無線端末２が直接取得する周囲の基地局（アクセスポイント）との通信における品質情報を、ＷＡＮ管理サーバ８に送信することも好ましい。ここで、送信可能な品質情報として、例えば、ＲＳＳＩ（Received Signal Strength Indication）、ＳＩＮＲ（Signal to Interference plus Noise Ratio）、混雑度等が挙げられる。
【００６２】
ＷＡＮ管理サーバ８は、アクセスネットワーク４、５、６０及び６１のそれぞれを介した通信の状態、例えば通信速度又は輻輳状態をモニタし、定期的に、最も効率の良い通信が可能なアクセスネットワークを、通信エリア内の所定の位置範囲毎に決定する。
【００６３】
このモニタ結果は、ＷＡＮ管理サーバ８の有する最適ＷＡＮ管理テーブル８０に記録される。最適ＷＡＮ管理テーブル８０は、一形態として、
（ａ）位置範囲：以下の２つの地点を結ぶ線分を一対角線とする四角形領域
（N：35.PP.QQ，E：140.XX.YY）−（N：35.RR.SS，E：140.ZZ.AA）
（ｂ）最適基地局：位置範囲（ａ）内にある無線端末２にとって、最も効率の良い通信が可能であるとされたアクセスネットワークの基地局（アクセスポイント）
（ｃ）最適基地局識別子：最適基地局（ｂ）を識別する値ＩＤ
を記載したテーブルとなる。
【００６４】
ここで、最適ＷＡＮ管理テーブル８０は、追加の項目として、
（ｄ）準最適基地局：位置範囲（ａ）内にある無線端末２にとって、最適基地局（ｂ）に次いで効率の良い通信が可能であるとされたアクセスネットワークの基地局（アクセスポイント）
（ｅ）準最適基地局識別子：準最適基地局（ｄ）を識別する値ＩＤ
を有することも好ましい。さらに、次いで推奨する基地局（識別子）を挙げて、合計３つ以上の基地局（識別子）を項目として備えていてもよい。
【００６５】
ＷＡＮ管理サーバ８は、送信された無線端末２の位置情報を最適ＷＡＮ管理テーブル８０に照らし合わせ、この位置情報の緯度経度位置が含まれる位置範囲（ａ）に対応した最適基地局（ｂ）を、この無線端末２にとって推奨される基地局に決定する。次いで、この最適基地局（ｂ）に対応する最適基地局識別子（ｃ）を含む推奨ＷＡＮ情報を作成し、この推奨ＷＡＮ情報を無線端末２に応答する（ステップＳ２０３）。
【００６６】
ここで、準最適基地局（ｄ）に対応する準最適基地局識別子（ｅ）も、推奨ＷＡＮ情報に含ませることも可能である。この場合、推奨ＷＡＮ情報は、推奨する２つの基地局の情報を含むことになる。さらに、推奨ＷＡＮ情報は、最適ＷＡＮ管理テーブル８０に推奨すべきとして挙げられた３つ以上の基地局を含むように形成されてもよい。
【００６７】
さらに、ＷＡＮ管理サーバ８は、無線端末２から送信された上述の品質情報（ＲＳＳＩ、ＳＩＮＲ、混雑度等）に基づき、最適基地局（ｂ）（更には他の推奨する基地局）を決定することも可能である。
【００６８】
無線端末２は、受信した推奨ＷＡＮ情報をメモリ２０に記憶し、この推奨ＷＡＮ情報に基づいてＷＡＮ選択情報を生成する。ここで、推奨ＷＡＮ情報が２つ以上の基地局（アクセスポイント）を推奨し、アクセスネットワークとして２つ以上が推奨されたことになる場合、無線端末２は、例えば、上述した「キャリアアグリゲーション」方式を適用した通信を行うことを前提にし、２つ以上の基地局のうちの１つを選択してアクセスネットワークを指定することも可能である。即ち、モバイルルータ１との間で基地局が重複しないようにアクセスネットワークを指定するＷＡＮ選択情報を作成することもできる。以上、無線端末２は、自身の位置情報に基づいた推奨ＷＡＮ情報を、ＷＡＮ管理サーバ８から取得することができる。
【００６９】
図４は、ウェイクアップの判定及び選択するＷＡＮの決定についての一実施形態を示す状態遷移図である。
【００７０】
図４によれば、モバイルルータ１は、
（ａ）所定のｎ個（ｎ≧２）のフレーム長の順列ｌ1,ｌ2,・・・,ｌｎと、
（ｂ）４つのＷＡＮ側インタフェースにそれぞれ割り当てられた互いに異なるフレーム長の組｛ｌｎ＋１,ｌｎ＋１',ｌｎ＋１'',ｌｎ＋１'''｝と
を予め記憶している。
【００７１】
ここで、本実施形態では、
（ａ）フレーム長ｌｎ＋１は、
アクセスネットワーク（無線ＬＡＮ）４のＷＡＮ側インタフェースに、
（ｂ）フレーム長ｌｎ＋１'は、
アクセスネットワーク（ＷｉＭＡＸ）５のＷＡＮ側インタフェースに、
（ｃ）フレーム長ｌｎ＋１''は、
アクセスネットワーク（ＬＴＥ）６０のＷＡＮ側インタフェースに、
（ｄ）フレーム長ｌｎ＋１'''は、
アクセスネットワーク（３Ｇ）６１のＷＡＮ側インタフェースに
それぞれ割り当てられている。
【００７２】
スリープ状態にあるモバイルルータ１は、最初に、フレームｌ１の信号が受信されるのを待つｌ１待ち状態をとる。次いで、モバイルルータ１は、受信した信号の中でフレームｌ１の信号を検知した際、フレームｌ２の信号が受信されるのを待つｌ２待ち状態をとる。
【００７３】
モバイルルータ１は、このように、フレーム長の順列ｌ1,ｌ2,・・・,ｌｎにおける１つのフレーム長の信号を受信した際、この順列におけるその次にあるフレーム長の信号の受信を待つ処理を、順列の最初のフレーム長ｌ1から実施する。その結果、この順列における最後のフレーム長ｌｎを待った上で、この最後のフレーム長ｌｎの信号を受信した場合に、受信された一連のフレーム信号がウェイクアップ信号（の一部）である、と判定する。
【００７４】
ここで、例えば、ｎ＝１６とし、ｌ１＝約１００μ秒（例えば４０バイトに相当）、ｌ２＝約１５０μ秒、ｌ３＝約２００μ秒、・・・といった様に、順次より大きいフレーム長の待ち状態をとることもできる。当然に、他の態様のフレーム長の順列をもって待ち状態をとることも可能である。尚、いずれの待ち状態においても、所定のｍ（＞ｎ）個のフレーム以上を受信した段階で、最初のｌ１待ち状態に戻り、改めて状態遷移を開始することも好ましい。
【００７５】
次いで、モバイルルータ１は、受信された信号がウェイクアップ信号であると判定した際、互いに異なるフレーム長の組｛ｌｎ＋１,ｌｎ＋１',ｌｎ＋１'',ｌｎ＋１'''｝における各フレーム長の信号を同時に待つ待ち状態をとる。ここで、例えば、フレーム長ｌｎ＋１'の信号を受信した際、この信号を、ウェイクアップ信号中のＷＡＮ選択情報と判定し、このＷＡＮ選択情報に基づいて、フレーム長ｌｎ＋１'が割り当てられたアクセスネットワーク（ＷｉＭＡＸ）５の選択を決定する。この決定に従い、アクセスネットワーク（ＷｉＭＡＸ）５のＷＡＮ側インタフェースを起動する。
【００７６】
以上説明した実施形態では、所定の順序のフレーム長の信号を順次待ち受けることによって、ウェイクアップ信号の受信が可能となり、ウェイクアップの判定を、フレーム長の信号処理だけで実施することができる。さらに、所定のフレーム長の信号を待ち受けることによって、ＷＡＮ選択情報がウェイクアップ信号から抽出可能となり、フレーム長の信号処理だけで、所望のＷＡＮ側インタフェースのみを起動させることができる。その結果、ウェイクアップ時の消費電力を大幅に抑制し、所望の通信確立のための所要時間を大幅に短縮できる。
【００７７】
また、ウェイクアップ判定の変更態様として、モバイルルータ１は、所定のｎ個（ｎ≧２）のフレームの順列ｆ1,ｆ2,・・・,ｆｎを予め記憶し、以下のフレーム信号処理を行ってもよい。
【００７８】
スリープ状態にあるモバイルルータ１は、最初に、フレームｆ１が受信されるのを待つｆ１待ち状態をとる。次いで、モバイルルータ１は、受信した信号の中でフレームｆ１を検知した際、フレームｆ２が受信されるのを待つｆ２待ち状態をとる。
【００７９】
モバイルルータ１は、このように、順列ｆ1,ｆ2,・・・,ｆｎにおける１つのフレームを受信した際、この順列におけるその次にあるフレームの受信を待つ処理を、順列の最初のフレームｆ1から実施する。その結果、この順列における最後のフレームｆｎを待った上で、この最後のフレームｆｎを受信した場合に、受信された一連のフレーム信号がウェイクアップ信号（の一部）である、と判定する。
【００８０】
ここで、例えば、ｎ＝１７とし、フレームｆ１を、
FF:FF:FF:FF:FF:FF
のブロードキャストアドレスとし、フレームｆ２〜ｆ１７（１６個のフレーム）を全て、モバイルルータ１のＭＡＣ（Media Access Control）アドレスとすることも好ましい。また、いずれの待ち状態においても、所定のｍ（＞ｎ）個のフレーム以上を受信した段階で、最初のｆ１待ち状態に戻り、改めて状態遷移を開始することも好ましい。
【００８１】
尚、以上に述べたフレームの順列ｆ1,ｆ2,・・・,ｆｎを用いたウェイクアップ判定では、フレームの内容（例えばＭＡＣアドレス）を識別する必要があるため、ＬＡＮ側インタフェースの大部分の機能を起動させねばならない。これに対し、図４に示した、フレーム長の順列ｌ1,ｌ2,・・・,ｌｎを用いたウェイクアップ判定では、フレーム長の信号処理だけを実施すればよく、後述するウェイクアップ信号受信部１０５及びウェイクアップ判定部１０６（図６）のみが機能していればよい。その結果、図４のフレーム長によるウェイクアップ判定は、ウェイクアップ時の消費電力をより大幅に抑制可能とする。
【００８２】
図５は、ウェイクアップの判定及び選択するＷＡＮの決定についての他の実施形態を示す概略図である。
【００８３】
図５の実施形態では、ウェイクアップ信号は、ＷＡＮ選択情報としてのＷＡＮ識別子を含む。ＷＡＮ識別子は、所定のビット数を有し、複数の（本実施形態では４つの）アクセスネットワークそれぞれに対応した値を取り得る識別子である。尚、このＷＡＮ識別子は、ＷＡＮ管理サーバ８から取得された最適基地局識別子（ｃ）（図３）によって指定された基地局が属するアクセスネットワークを指示する値、に設定可能である。
【００８４】
また、モバイルルータ１は、図５に示すように、ＷＡＮ識別子の値とアクセスネットワーク（基地局（アクセスポイント））との対応関係を記録したＷＡＮ対応テーブル１０を有する。
【００８５】
図５によれば、受信した信号がウェイクアップ信号か否かの判定は、図４の実施形態と同様であり、フレーム長の順列ｌ1,ｌ2,・・・,ｌｎを用いて実施される。ここで、真の判定がなされた際、その後受信したフレームからＷＡＮ識別子を抽出する（ステップＳ５００）。
【００８６】
次いで、抽出されたＷＡＮ識別子を読み取り、ＷＡＮ対応テーブル１０を用いて何れのアクセスネットワークが選択されるのかを判定する（ステップＳ５０１）。ここで、例えば、ＷＡＮ識別子がアクセスネットワーク（ＷｉＭＡＸ）５に割り当てられた値をとる場合、このアクセスネットワーク５に接続されるＷＡＮ側インタフェースが選択され、同インタフェースが起動される。
【００８７】
以上説明した実施形態では、所定の順序のフレーム長を有する複数の信号、及びアクセスネットワークに割り当てられた値をとるＷＡＮ識別子を含むフレームを順次待ち受けることによって、ウェイクアップ信号の受信が可能となり、さらに、ＷＡＮ選択情報がウェイクアップ信号から抽出可能となる。ここで、ＷＡＮ識別子を含むフレームの処理で所望のＷＡＮ側インタフェースのみを起動させることができるため、ウェイクアップ時の消費電力を大幅に抑制し、所望の通信確立のための所要時間を大幅に短縮できる。
【００８８】
図６は、本発明によるモバイルルータ１の一実施形態における機能構成図である。
【００８９】
図６によれば、モバイルルータ１は、第１のＷＡＮ側インタフェース１００と、第２のＷＡＮ側インタフェース１０１と、第３のＷＡＮ側インタフェース１０２と、第４のＷＡＮ側インタフェース１０３と、ＬＡＮ側インタフェース１０４と、ウェイクアップ信号受信部１０５及びウェイクアップ判定部１０６とを備えている。
【００９０】
さらに、モバイルルータ１は、ＷＡＮ起動部１１０と、通信部１１１と、経路制御部１１２とを有する。尚、これら機能構成部は、モバイルルータ１に搭載されたコンピュータ（プロセッサ・メモリ）を機能させるプログラムを実行することによって実現される。
【００９１】
第１のＷＡＮ側インタフェース１００は、アクセスネットワーク（無線ＬＡＮ）４に接続され、第２のＷＡＮ側インタフェース１０１は、アクセスネットワーク（ＷｉＭＡＸ）５に接続され、第３のＷＡＮ側インタフェース１０２は、アクセスネットワーク（ＬＴＥ）６０に接続され、第４のＷＡＮインタフェース１０３は、アクセスネットワーク（３Ｇ）６１に接続される。また、ＬＡＮ側インタフェース１０４は、無線ネットワーク３に接続される。
【００９２】
また、第１〜第４のＷＡＮ側インタフェース１００〜１０３はそれぞれ、インタフェース通信回路を有し、また、このインタフェース通信回路に通電する回路電源部を備えている。各回路電源部は、外部（ＷＡＮ起動部１１０）からの指示信号に従い、ＷＡＮ側インタフェースを、インタフェース通信回路への通電が停止した停止状態にしたり、インタフェース通信回路に通電された起動状態にしたりする。
【００９３】
モバイルルータ１がスリープ状態にある際、第１〜第４のＷＡＮ側インタフェース１００〜１０３及びＬＡＮ側インタフェース１０４と、ＷＡＮ起動部１１０、通信部１１１及び経路制御部１１２とは、電源ＯＦＦの状態となっている。
【００９４】
一方、ウェイクアップ信号受信部１０５及びウェイクアップ判定部１０６は、ＬＡＮ側インタフェース１０４の内部に設けられているが、装置（ＬＡＮ側インタフェース１０４）とは独立した電源、例えば電池、を有しており、スリープ状態でも電源ＯＮの状態となっている。
【００９５】
ウェイクアップ信号受信部１０５は、無線端末２からのウェイクアップ信号を受信可能な受信機能部である。また、ウェイクアップ判定部１０６は、ウェイクアップ信号受信部１０５によって受信された信号を入力し、この信号がウェイクアップ信号であるか否かを判定する。
【００９６】
この判定の一実施形態として、ウェイクアップ判定部１０６は、所定のｎ個（ｎ≧２）のフレーム長の順列ｌ1,ｌ2,・・・,ｌｎを予め記憶し、図４及び図５に示した、この順列を用いた方法によって判定を行う。ここで、真の判定、即ち受信された信号がウェイクアップ信号であるとの判定を行った際、ウェイクアップ判定部１０６は、装置の電源にＯＮ指示の信号を出力し、装置をウェイクアップさせる。さらに、ＷＡＮ起動部１１０に、ウェイクアップ信号を出力する。
【００９７】
ＷＡＮ起動部１１０は、ウェイクアップ判定部１０６から入力したウェイクアップ信号から、４つのアクセスネットワーク４、５、６０及び６１のうちの１つを指示するＷＡＮ選択情報を抽出し、このＷＡＮ選択情報の指示に応じて、停止状態にある第１〜第４のＷＡＮ側インタフェース１００〜１０３のうちの１つを起動させる。具体的には、起動させるＷＡＮ側インタフェースに備えられた回路電源部に、インタフェース通信回路への通電指示を行う。
【００９８】
ここで、ＷＡＮ起動部１１０は、ＷＡＮ決定部１１０ａを有しており、このＷＡＮ決定部１１０ａは、第１〜第４のＷＡＮ側インタフェース１００〜１０３にそれぞれ割り当てられた互いに異なるフレーム長の組｛ｌｎ＋１,ｌｎ＋１',ｌｎ＋１'',ｌｎ＋１'''｝を予め記憶していることも好ましい。この場合、ＷＡＮ決定部１１０ａは、図４に示したように、このフレーム長の組における各フレーム長の信号を同時に待つ待ち状態をとり、その中の１つフレーム長の信号をウェイクアップ判定部１０６から入力した際、この信号を、ウェイクアップ信号中のＷＡＮ選択情報と判定し、選択すべきアクセスネットワークを決定する。
【００９９】
また、変更態様として、ＷＡＮ決定部１１０ａは、図５に示したように、ウェイクアップ判定部１０６から入力したフレームからＷＡＮ識別子を抽出し、抽出したＷＡＮ識別子の値が、何れのアクセスネットワークに割り当てられたものかを判定し、選択すべきアクセスネットワークを決定する。
【０１００】
ＷＡＮ起動部１１０は、第１〜第４のＷＡＮ側インタフェース１００〜１０３のうちの１つを起動させた際、その旨の信号を経路制御部１１２に出力する。
【０１０１】
通信部１１１は、無線ネットワーク３を介した無線端末２との通信、アクセスネットワーク４、５、６０又は６１を介した通信、及び無線端末２のアクセスネットワーク４、５、６０又は６１を介した通信を実施・制御する。
【０１０２】
経路制御部１１２は、ＷＡＮ起動部１１０から第１〜第４のＷＡＮ側インタフェース１００〜１０３のいずれを起動させるかの信号を入力した際、装置内の通信経路を制御して、この起動させるＷＡＮ側インタフェースと通信部１１１とを接続させる。
【０１０３】
以上、モバイルルータ１は、ウェイクアップ信号及びそれに含まれるＷＡＮ選択情報に従って、複数のＷＡＮ側インタフェースをそれぞれ個別に起動させることができる。その結果、ウェイクアップ時の消費電力を大幅に抑制することができる。また、所望のＷＡＮ側インタフェースだけを起動させ、所望のアクセスネットワークを介した通信を速やかに立ち上げることが可能となる。
【０１０４】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【０１０５】
１  モバイルルータ（無線ルータ）
１０  ＷＡＮ対応テーブル
１００  第１のＷＡＮ側インタフェース
１０１  第２のＷＡＮ側インタフェース
１０２  第３のＷＡＮ側インタフェース
１０３  第４のＷＡＮ側インタフェース
１０４  ＬＡＮ側インタフェース
１０５  ウェイクアップ信号受信部
１１６  ウェイクアップ判定部
１１０  ＷＡＮ起動部
１１１  通信部
１１２  経路制御部
２  無線端末
２０  メモリ
３  無線ネットワーク（ローカルネットワーク）
４、５、６０、６１  アクセスネットワーク
７  インターネット
８  ＷＡＮ管理サーバ
８０  最適ＷＡＮ管理テーブル
９  ＧＰＳ衛星
【図１】
0005858814.tif 000002
【図２】
0005858814.tif 000003
【図３】
0005858814.tif 000004
【図４】
0005858814.tif 000005
【図５】
0005858814.tif 000006
【図６】
0005858814.tif 000007